(57)【要約】【課題】外形寸法が比較的小さく、風圧荷重が小さくなり、またカメラの監視範囲は広くなり、さらに道路外への漏光が少ないカメラ併置型屋外用照明器具を提供することを課題とする。【解決手段】下面に開口部２を有し、内部に光源を装着するソケット５を設け、下面一部を閉口部３としてなる器具本体１と、同器具本体の閉口部にカメラ１１を配置して構成してある。またカメラと器具本体の下面の開口部との間に器具本体の下面開口部から照射される光がカメラに入らない形状の遮光板２０を設けて構成してある。また器具本体の下面の開口部に平面状の前面ガラス７を道路の横断方向へ拡大傾斜して配置してある。【選択図】　　図２
2004047388.tif 000002
【特許請求の範囲】
【請求項１】
下面に開口部を有し、内部に光源を装着するソケットを設け、下面一部に閉口部を有する器具本体と、同器具本体の下面の閉口部に設けてなるカメラとを有し、また同カメラと器具本体の開口部との間に器具本体の下面開口部から照射される光がカメラに入らない形状の遮光板を設けたことを特徴とするカメラ併置型屋外用照明器具。
【請求項２】
器具本体の開口部に平面状の前面ガラスを設け、且つ同前面ガラスは道路の横断方向へ拡大傾斜して構成したことを特徴とする請求項１記載のカメラ併置型屋外用照明器具。
【請求項３】
遮光板は器具本体の後方で、且つ道路外への漏れ光を減少させる形状に構成したことを特徴とする請求項１および請求項２記載のカメラ併置型屋外用照明器具。
【請求項４】
カメラ収納室は透光性の合成樹脂性の覆体で構成したことを特徴とする請求項１乃至請求項３記載のカメラ併置型屋外用照明器具。
【発明の詳細な説明】
【０００１】
【従来の技術】
本発明はカメラ併置型屋外用照明器具の改良に関する。
【０００２】
最近、照明器具に監視カメラを内蔵し、高速道路等における道路状況あるいは駅前広場等の状況を監視することが実施されている。
従来、実施されているカメラ併置型屋外用照明器具としては、例えば光源を収納してなる照明器具とカメラ収納ボックスを別々に構成し、同照明器具とカメラ収納ボックスを水平方向に連結した構造のもが実施されている。
【０００３】
【発明が解決しようとする課題】
ところで、上記したカメラ併置型屋外用照明器具によると、照明器具とカメラ収納ボックスを別々に構成し、両者を連結しているので、外形寸法が大きくなり風圧荷重が大きくなる欠点がある。また風圧荷重が大きくなると比較的高所にカメラ併置型屋外用照明器具を支持するので、支持柱は強固なものを使用しなければならない。
また監視カメラを角型のボックスに収納する構造によると、道路外への漏光が多くなり、またカメラの監視範囲が狭くなる欠点がある。
【０００４】
本発明は上記の諸点に鑑み発明したものであって、外形寸法が比較的小さく、風圧荷重が小さくなり、またカメラの監視範囲は広くなり、さらに道路外への漏光が少ないカメラ併置型屋外用照明器具を提供することを目的とする。
【０００５】
【課題を解決するための手段】
本発明は上記課題を解決するために次の構成とする。請求項１に記載の発明は、下面に開口部を有し、内部に光源を装着するソケットを設け、下面一部に閉口部を有する器具本体と、同器具本体の下面の閉口部に設けてなるカメラとを有して構成してある。また同カメラと器具本体の開口部との間に器具本体の下面開口部から照射される光がカメラに入らない形状の遮光板を設けて構成してある。
【０００６】
請求項２に記載の発明は、請求項１に記載のカメラ併置型屋外用照明器具における器具本体の開口部に平面状の前面ガラスを設け、且つ同前面ガラスは道路の横断方向へ拡大傾斜して構成してある。
【０００７】
請求項３に記載の発明は、請求項１と請求項２に記載のカメラ併置型屋外用照明器具における遮光板は器具本体の後方で、且つ道路外への漏れ光が減少するように突出部を有して構成してある。
【０００８】
請求項４に記載の発明は、請求項１乃至請求項３に記載のカメラ併置型屋外用照明器具におけるカメラ収納室は透光性の合成樹脂性の覆体で構成してある。
【０００９】
請求項１乃至請求項４記載の発明によると、器具本体の下面の一端部にカメラを設けて構成してあるので、外形寸法が比較的小さく、風圧荷重が小さくなる。
また器具本体の下面の開口部に平面状の前面ガラスを設け、且つ同前面ガラスは道路の横断方向へ拡大傾斜して構成し、また遮光板は器具本体の後方で、且つ道路外への漏れ光が減少するように突出部を有して構成してあるので、道路の横断方向で必要な個所は効果的に照明することができ、また照明器具の取付側の道路外への漏光が少なくなる。
またカメラ収納室は透光性の合成樹脂性の覆体で構成してあるので、ガラスより熱の伝わりが少なく、内部と外部の温度差が小さくなり、透光面が曇るのを防止することができる。
【００１０】
【発明の実施の形態】
以下本発明を図１乃至図３について説明する。図１において、１は器具本体であって、下面一部の前方を開口部２とし、下面の一部に閉口部３を有して構成してある。４は器具本体１の上面に対して開閉自在に構成してなる開閉蓋である。５器具本体１の内部に設けてなるソケット、６はソケット５に装着してなる光源であって、例えば高圧ナトリウムランプを用いて構成してある。
７は器具本体１の透光開口２に固定してなる前面ガラスであって、平面状に構成してある。前面ガラス７は強化ガラスで構成してある。また前面ガラス７は道路の横断方向へ拡大傾斜して構成してある。傾斜角は例えば５度程度として構成してある。傾斜角を５度程度とすると、道路外へ照射される光が少なくなる。８は器具本体１の内部に収納配置してなる反射鏡である。
【００１１】
１０は器具本体の下面の一端部に設けてなるカメラ収納室であって、器具本体の閉口部３に配置して構成してある。またカメラ収納室は透光性の合成樹脂性の覆体で構成してある。合成樹脂材としては、例えばメタクリル樹脂を用いて構成する。１１はカメラ収納室１０の内部に配置してなるカメラであって、例えばカメラの撮影方向の角度は、取付現場の状況に応じて水平方向と鉛直方向の撮影角度を設定することができるように構成してある。
【００１２】
２０は遮光板であって、カメラ収納室１０と器具本体１の下面開口部から照射される光がカメラに入らない形状に構成してある。また遮光板は器具本体の後方で、且つ道路外への漏れ光が減少するように突出部２１を有して構成してある。また遮光板２０は、自照明からのランプの光がカメラに入らず、照明器具の取付側の道路外への漏光が少なくなる形状に構成してある。
【００１３】
【実施例】
次に上記のカメラ併置型屋外用照明器具の実施例について説明する。
▲１▼例えば、上記したカメラ併置型屋外用照明器具は高速道路のインターチェンジの分合流部等へ設置する。取り付け高さは例えば１０ｍ乃至１２ｍ程度である。
▲２▼このように構成すると、道路の横断方向で必要な個所は効果的に照明することができ、また照明器具の取付側の道路外への漏光が少なくなり、さらに道路の状況を容易に把握することができる。また器具本体の下面の一端部にカメラを設けて構成してあるので、外形寸法が比較的小さく、風圧荷重が小さくなる。
【００１４】
【発明の効果】
上記した請求項１乃至請求項３に記載のカメラ併置型屋外用照明器具によると、器具本体の下面の一端部にカメラを設けて構成してあるので、外形寸法が比較的小さく、風圧荷重が小さくなる特別な効果がある。
また器具本体の下面の開口部に平面状の前面ガラスを設け、且つ同前面ガラスは道路の横断方向へ拡大傾斜して構成し、また遮光板は器具本体の後方で、且つ道路外への漏れ光が減少するように突出部を有して構成してあるので、道路の横断方向で必要な個所は効果的に照明することができ、また照明器具の取付側の道路外への漏光が少なくなる特別な効果がある。
【００１５】
また請求項４記載の発明によると、カメラ収納室の透光面の内部と外部の温度差が小さくなり、透光面が曇るのを防止することができる特別な効果がある。
【図面の簡単な説明】
【図１】本発明に係るカメラ併置型屋外用照明器具の外観斜視図。
【図２】図１に示すカメラ併置型屋外用照明器具の側面図。
【図３】図１に示すカメラ併置型屋外用照明器具の底面図。
【符号の説明】
１　器具本体
２　開口部
３　閉口部
４　開閉蓋
５　ソケット
６　光源
７　前面ガラス
８　反射鏡
１０　カメラ収納室
１１　カメラ
２０　遮光板
２１　突出部
【図１】
2004047388.tif 000003
【図２】
2004047388.tif 000004
【図３】
2004047388.tif 000005